(57)【特許請求の範囲】
【請求項１】
酸化チタン光触媒を含有した障子紙を使用した障子の桟の部分に前記障子紙を照射する向きに紫外線ＬＥＤを配置したことを特徴とする障子。
【請求項２】
前記紫外線ＬＥＤを前記桟に沿って複数個配置し、前記複数個の紫外線ＬＥＤの取り付け部のみに孔を開けたカバーで前記複数個の紫外線ＬＥＤ間の回路と配線を前記桟に沿って覆ったことを特徴とする請求項１に記載の障子。
【請求項３】
前記障子紙に前記紫外線ＬＥＤの発する紫外線で可視光を発光する蛍光体を直接塗布するか、前記蛍光体を含むシートを前記障子紙に貼り付けたことを特徴とする請求項１または請求項２に記載の障子。
【請求項４】
前記紫外線ＬＥＤはその発光波長範囲が約３６０ｎｍから約４００ｎｍであることを特徴とする請求項１乃至請求項３のうちいずれか１つに記載の障子。
【発明の詳細な説明】
【０００１】
【発明の属する技術分野】
本発明は、紫外線発光ダイオード（以下、「紫外線ＬＥＤ」とも略する。）を光源として用いて、酸化チタン光触媒を含有した障子紙を紫外線で照射することによって、酸化チタン光触媒の抗菌・脱臭効果を十分に発揮させることができる障子に関するものである。
【０００２】
なお、本明細書中においては、ＬＥＤチップそのものは「発光素子」と呼び、ＬＥＤチップを搭載したパッケージ樹脂またはレンズ系等の光学装置を含む発光装置全体を「発光ダイオード」または「ＬＥＤ」と呼ぶこととする。
【０００３】
【従来の技術】
近年、酸化チタン光触媒を含有した障子紙を障子枠に貼り付け、昼間の太陽光、夜間の蛍光灯の光で酸化チタンの光触媒効果を発揮させ、抗菌・脱臭効果があるとされているものがある。
【０００４】
【発明が解決しようとする課題】
しかし、室内の障子には太陽光は十分に照射されない場合が多く、また蛍光灯の光では光触媒を活性化させるには不十分であり、かかる障子に抗菌・脱臭効果があるのかは、はなはだ疑問であった。
【０００５】
そこで、本発明は、小型の紫外線ＬＥＤを光源に用いることによって、十分な抗菌・脱臭効果を発揮でき、消費電力が小さく寿命が長くて低コスト化が可能な障子の提供を課題とするものである。
【０００６】
【課題を解決するための手段】
請求項１の発明にかかる障子は、酸化チタン光触媒を含有した障子紙を使用した障子の桟の部分に前記障子紙を照射する向きに紫外線ＬＥＤを配置したものである。
【０００７】
紫外線ＬＥＤから発せられる紫外線は、酸化チタン光触媒を強力に活性化して障子にあたる空気に強力な抗菌・脱臭効果をもたらす。また、紫外線ＬＥＤは小型で発熱も小さいことから障子の桟の部分に十分に配置でき、発熱による発火等の恐れも全くない。そして、消費電力が少なく、寿命も長いため殆どメンテナンスフリーであり、低コスト化が可能である。
【０００８】
このようにして、十分な抗菌・脱臭効果を発揮でき、消費電力が小さく寿命が長くて低コスト化が可能な障子を提供することができる。
【０００９】
請求項２の発明にかかる障子は、請求項１の構成において、前記紫外線ＬＥＤを前記桟に沿って複数個配置し、前記複数個の紫外線ＬＥＤの取り付け部のみに孔を開けたカバーで前記複数個の紫外線ＬＥＤ間の回路と配線を前記桟に沿って覆ったものである。
【００１０】
紫外線ＬＥＤを発光させるためには、回路と外部から電源を供給するための配線が必要である。紫外線ＬＥＤを各桟に１個ずつ程度配置する場合には、配線も目立たず回路は外部に設ければ良いが、紫外線ＬＥＤを各桟に複数個ずつ配置する場合には、各紫外線ＬＥＤ間ごとに回路と配線を設けなければならず、これらが桟の上に載っていると非常に見苦しい。そこで、複数個の紫外線ＬＥＤの取り付け部のみに孔を開けて他の部分は桟に沿ってカバーで覆ってしまう。これによって、見た目も通常の障子と殆ど変わりなく、美観を損ねることがない。
【００１１】
なお、カバーの材質としては木材、プラスティック等種々のものが使用できるが、美観の上からは桟と同じ木材を用いるのが好ましい。また、紫外線ＬＥＤが障子紙側を向くように、カバーは障子紙側が低くなるように設定する。
【００１２】
このようにして、見た目も損なわず、多数個の紫外線ＬＥＤで障子紙を照射することができ、より強力な抗菌・脱臭効果を発揮できる障子となる。
【００１３】
請求項３の発明にかかる障子は、請求項１または請求項２の構成において、前記障子紙に前記紫外線ＬＥＤの発する紫外線で可視光を発光する蛍光体を直接塗布するか、前記蛍光体を含むシートを前記障子紙に貼り付けたものである。
【００１４】
蛍光体を障子紙に直接塗布する場合には、動植物、静物等を筆で描いても良いし、幾何学模様等を描いても良い。また、蛍光体を含むシートを障子紙に貼りつける場合には、春は紫外線でピンク色を発光する蛍光体を用いて桜の花びら形に切ったシートを貼り付け、夏は紫外線で緑色を発光する蛍光体を用いて四葉のクローバ形に切ったシートを貼り付け、秋は紫外線で赤色を発光する蛍光体を用いて紅葉形に切ったシートを貼り付け等すれば、季節感が出て生活に潤いを持たせることができる。
【００１５】
このようにして、抗菌・脱臭効果を発揮するだけでなく、室内空間を華やかに彩ることができる障子となる。
【００１６】
請求項４の発明にかかる障子は、請求項１乃至請求項３のうちいずれか１つの構成において、前記紫外線ＬＥＤはその発光波長範囲が約３６０ｎｍから約４００ｎｍであるものである。
【００１７】
これによって、酸化チタン光触媒を最も活性化させる波長範囲の紫外線を障子紙に照射することができ、抗菌・脱臭効果のより高い障子となる。しかも、紫外線ＬＥＤの中心発光波長は約３８０ｎｍとなり、紫外線ＬＥＤといってもその発する光は波長の長い近紫外線であり、人体、特に眼や皮膚に対する有害性は殆どない。
【００１８】
このようにして、抗菌・脱臭効果がさらに高くなるとともに、長時間紫外線発光素子を点灯させても健康への影響が全くない障子となる。
【００１９】
【発明の実施の形態】
以下、本発明の実施の形態について、図１乃至図６を参照して説明する。図１（ａ）は本発明の実施の形態にかかる障子の全体構成を示す正面図、（ｂ）は平面図、（ｃ）は（ａ）のＡ−Ａ断面図、（ｄ）は（ａ）のＢ−Ｂ断面図である。図２（ａ）は本発明の実施の形態にかかる障子のカバーを示す平面図、（ｂ）は側面図、（ｃ）は（ａ）のＣ−Ｃ断面図である。図３（ａ）は図１のＤ−Ｄ断面図、（ｂ）は（ａ）をＸ方向から見た部分拡大図である。図４（ａ）は図１のＥ−Ｅ断面図、（ｂ）は（ａ）をＸ方向から見た部分拡大図である。図５は図６のＦ−Ｆ断面図である。図６は図１（ａ）の右下角部の部分拡大図である。
【００２０】
図１に示されるように、本実施の形態１の障子１は、通常の障子と同様に４本の木枠２，３，４，５で四角形の外枠が組み立てられ、垂直方向に等間隔で２本の框（かまち）６、水平方向に等間隔で３本の桟（さん）７が、それぞれ互いに組み合わされて嵌め込まれている。なお、本明細書においては「框」とは垂直方向の桟を意味する用語として用いる。そして、図の裏側から酸化チタン光触媒を含有させた障子紙Ｐが、木枠２，３，４，５、框６、桟７にのりで張り付けられている。さらに、図１（ｃ），（ｄ）に示されるように、２本の縦方向の木枠３，４の内側にはそれぞれ中実のスペーサ８と中空のスペーサ９が取り付けられている。後述するように、中空のスペーサ９は内部に配線を通すためのもので、スペーサ８は障子１全体の見た目の左右のバランスをとるためのダミーのスペーサである。
【００２１】
さらに、スペーサ８と框６の間、框６と框６の間、框６とスペーサ９の間において、桟７と木枠５の上に計１２個のカバー１０が取り付けられている。カバー１０は紫外線ＬＥＤを取り付けるとともに、紫外線ＬＥＤ用の回路や配線を覆い隠すためのものである。
【００２２】
次に、このカバー１０の構造について、図２を参照して説明する。図２（ａ）に示されるように、１個のカバー１０には４個の略正方形の紫外線ＬＥＤ１１が取り付けられている。また、図２（ｂ）の側面図に示されるように、カバー１０の両側面は長さが異なっており、長さが短い側面１０ａ側に障子紙Ｐが位置するように取り付けられる。これによって、紫外線ＬＥＤ１１が障子紙Ｐ側に斜めに向いて、紫外線が障子紙Ｐに十分に照射される。図２（ｃ）は、カバー１０を紫外線ＬＥＤ１１の所で切断して拡大した断面図である。紫外線ＬＥＤ１１は、カバー１０に開けられた略正方形の取り付け部１０ｂに嵌め込まれて固定される。カバー１０の材質は、桟７と同様の木材であり、これによって障子１の見栄えが良くなる。また、桟７とカバー１０の間に生ずる空間１０ｃに紫外線ＬＥＤ１１用の回路や配線が収納されるので、外部から回路や配線が見えることがなく、障子１の見栄えが損なわれることがない。
【００２３】
なお、紫外線ＬＥＤ１１はその発光波長範囲が約３６０ｎｍから約４００ｎｍであるものである。これによって、酸化チタン光触媒による抗菌・脱臭効果のより高い障子１となる。しかも、紫外線ＬＥＤ１１の中心発光波長は約３８０ｎｍとなり、紫外線ＬＥＤといってもその発する光は波長の長い近紫外線であり、人体、特に眼や皮膚に対する有害性は殆どない。
【００２４】
次に、カバー１０の突き当たる框６やスペーサ９に配線を通す方法について、図３及び図４を参照して説明する。図３（ａ）は図１のＤ−Ｄ断面図であり、（ｂ）は（ａ）のＸ方向から見た図である。図３に示されるように、２つのカバー１０に挟まれた框６には２つの貫通孔６ａが穿設されている。この貫通孔６ａに配線を通すことによって、框６の外部に配線が表れることなく電気的接続を保つことができる。また、図４（ａ）は図１のＥ−Ｅ断面図であり、（ｂ）は（ａ）のＸ方向から見た図である。図４に示されるように、カバー１０が突き当たるスペーサ９の壁には２つの貫通孔９ａが穿設されている。この貫通孔９ａに配線を通すことによって、スペーサ９の外部に配線が表れることなく電気的接続を保つことができる。貫通孔９ａを通りぬけた配線は、スペーサ９の空間を下降して下の木枠５の近傍に至る。このようにして、４段のカバー１０からそれぞれスペーサ９の空間内に通された配線は、スペーサ９の空間内で＋−の２本の配線に纏められる。
【００２５】
次に、こうして纏められた２本の配線をスペーサ９から取り出して外部電源に接続する方法について、図５及び図６を参照して説明する。図５は図６のＦ−Ｆ断面図であり、図６は図１（ａ）の右下角部の部分拡大図である。図５，６に示されるように、下の木枠５の上において、スペーサ９の空間から右の木枠４の中を直角に曲がりながら貫通する貫通孔４ａが穿設されている。スペーサ９の空間から貫通孔４ａを通過した２本の配線は、図５の上方へ貫通した貫通孔４ａの外部にある電源に接続される。これによって、１２個のカバー１０に４個ずつ取り付けられた計４８個の紫外線ＬＥＤ１１が発光して、波長範囲が約３６０ｎｍから約４００ｎｍの紫外線が障子紙Ｐの全面を照射する。この結果、障子紙Ｐに含有されている酸化チタン光触媒の光触媒効果が十分に発揮されて、室内の空気清浄・防臭効果、障子１の抗菌・防汚効果が得られる。
【００２６】
さらに、紫外線で可視光を発光する蛍光体を含むシートを任意の形状に切って障子紙Ｐに貼り付けるか、または蛍光体を直接筆につけて障子紙Ｐに模様を描くことによって、室内空間を華やかに彩ることができ、生活に潤いをもたせることができる。
【００２７】
このようにして、本実施の形態の障子１は、小型の紫外線ＬＥＤを光源に用いることによって、美観を損ねず、十分な抗菌・脱臭効果を発揮でき、消費電力が小さく寿命が長くて低コスト化が可能で、さらには蛍光体で障子を彩ることができる。
【００２８】
本実施の形態においては、カバー１０として木材を用いた例について説明したが、他にもプラスティック等種々の材料を用いることができる。
【００２９】
障子のその他の部分の構成、形状、数量、材質、大きさ、接続関係等についても、本実施の形態に限定されるものではない。
【００３０】
【発明の効果】
以上説明したように、請求項１の発明にかかる障子は、酸化チタン光触媒を含有した障子紙を使用した障子の桟の部分に前記障子紙を照射する向きに紫外線ＬＥＤを配置したものである。
【００３１】
紫外線ＬＥＤから発せられる紫外線は、酸化チタン光触媒を強力に活性化して障子にあたる空気に強力な抗菌・脱臭効果をもたらす。また、紫外線ＬＥＤは小型で発熱も小さいことから障子の桟の部分に十分に配置でき、発熱による発火等の恐れも全くない。そして、消費電力が少なく、寿命も長いため殆どメンテナンスフリーであり、低コスト化が可能である。
【００３２】
このようにして、十分な抗菌・脱臭効果を発揮でき、消費電力が小さく寿命が長くて低コスト化が可能な障子を提供することができる。
【００３３】
請求項２の発明にかかる障子は、請求項１の構成において、前記紫外線ＬＥＤを前記桟に沿って複数個配置し、前記複数個の紫外線ＬＥＤの取り付け部のみに孔を開けたカバーで前記複数個の紫外線ＬＥＤ間の回路と配線を前記桟に沿って覆ったものである。
【００３４】
紫外線ＬＥＤを発光させるためには、回路と外部から電源を供給するための配線が必要である。紫外線ＬＥＤを各桟に１個ずつ程度配置する場合には、配線も目立たず回路は外部に設ければ良いが、紫外線ＬＥＤを各桟に複数個ずつ配置する場合には、各紫外線ＬＥＤ間ごとに回路と配線を設けなければならず、これらが桟の上に載っていると非常に見苦しい。そこで、複数個の紫外線ＬＥＤの取り付け部のみに孔を開けて他の部分は桟に沿ってカバーで覆ってしまう。これによって、請求項１に記載の効果に加えて、見た目も通常の障子と殆ど変わりなく、美観を損ねることがない。
【００３５】
なお、カバーの材質としては木材、プラスティック等種々のものが使用できるが、美観の上からは桟と同じ木材を用いるのが好ましい。また、紫外線ＬＥＤが障子紙側を向くように、カバーは障子紙側が低くなるように設定する。
【００３６】
このようにして、見た目も損なわず、多数個の紫外線ＬＥＤで障子紙を照射することができ、より強力な抗菌・脱臭効果を発揮できる障子となる。
【００３７】
請求項３の発明にかかる障子は、請求項１または請求項２の構成において、前記障子紙に前記紫外線ＬＥＤの発する紫外線で可視光を発光する蛍光体を直接塗布するか、前記蛍光体を含むシートを前記障子紙に貼り付けたものである。
【００３８】
請求項１または請求項２に記載の効果に加えて、蛍光体を障子紙に直接塗布する場合には、動植物、静物等を筆で描いても良いし、幾何学模様等を描いても良い。また、蛍光体を含むシートを障子紙に貼りつける場合には、春は紫外線でピンク色を発光する蛍光体を用いて桜の花びら形に切ったシートを貼り付け、夏は紫外線で緑色を発光する蛍光体を用いて四葉のクローバ形に切ったシートを貼り付け、秋は紫外線で赤色を発光する蛍光体を用いて紅葉形に切ったシートを貼り付け等すれば、季節感が出て生活に潤いを持たせることができる。
【００３９】
このようにして、抗菌・脱臭効果を発揮するだけでなく、室内空間を華やかに彩ることができる障子となる。
【００４０】
請求項４の発明にかかる障子は、請求項１乃至請求項３のうちいずれか１つの構成において、前記紫外線ＬＥＤはその発光波長範囲が約３６０ｎｍから約４００ｎｍであるものである。
【００４１】
これによって、請求項１乃至請求項３のうちいずれか１つに記載の効果に加えて、酸化チタン光触媒を最も活性化させる波長範囲の紫外線を障子紙に照射することができ、抗菌・脱臭効果のより高い障子となる。しかも、紫外線ＬＥＤの中心発光波長は約３８０ｎｍとなり、紫外線ＬＥＤといってもその発する光は波長の長い近紫外線であり、人体、特に眼や皮膚に対する有害性は殆どない。
【００４２】
このようにして、抗菌・脱臭効果がさらに高くなるとともに、長時間紫外線発光素子を点灯させても健康への影響が全くない障子となる。
【図面の簡単な説明】
【図１】  図１（ａ）は本発明の実施の形態にかかる障子の全体構成を示す正面図、（ｂ）は平面図、（ｃ）は（ａ）のＡ−Ａ断面図、（ｄ）は（ａ）のＢ−Ｂ断面図である。
【図２】  図２（ａ）は本発明の実施の形態にかかる障子のカバーを示す平面図、（ｂ）は側面図、（ｃ）は（ａ）のＣ−Ｃ断面図である。
【図３】  図３（ａ）は図１のＤ−Ｄ断面図、（ｂ）は（ａ）をＸ方向から見た部分拡大図である。
【図４】  図４（ａ）は図１のＥ−Ｅ断面図、（ｂ）は（ａ）をＸ方向から見た部分拡大図である。
【図５】  図５は図６のＦ−Ｆ断面図である。
【図６】  図６は図１（ａ）の右下角部の部分拡大図である。
【符号の説明】
１  障子
７  桟
１０  カバー
１１  紫外線ＬＥＤ
Ｐ  障子紙
【図１】
0003713575.tif 000002
【図２】
0003713575.tif 000003
【図３】
0003713575.tif 000004
【図４】
0003713575.tif 000005
【図５】
0003713575.tif 000006
【図６】
0003713575.tif 000007